(57)【特許請求の範囲】
【請求項１】
入力電圧に基づいて、複数の発光素子の点灯／消灯を切り替えることで切替動作と、各発光素子の調光動作とを行う照明用電源装置において、
前記入力電圧のオンを検出したときに入力電圧検出信号と調光用ＰＷＭ信号を生成出力し、前記入力電圧のオフを検出したときに前記入力電圧検出信号と前記調光用ＰＷＭ信号の生成出力を停止する制御部と、
前記調光用ＰＷＭ信号が入力されるＰＷＭ信号端子と、前記入力電圧検出信号が入力される電圧検出端子と、駆動用の電源電圧が印加される電源入力端子と、前記複数の発光素子がそれぞれ接続される複数の素子接続端子と、グランド端子と、前記入力電圧検出信号の電圧レベルが入力停止判定閾値電圧を超えているときはオープンとなる一方、前記入力停止判定閾値電圧以下になったときは前記グランド端子に短絡される放電用端子とを有し、前記ＰＷＭ信号端子に前記調光用ＰＷＭ信号が入力された後に前記電源入力端子に印加される前記電源電圧が所定の起動閾値電圧に達すると前記調光動作を行うとともに、前記入力電圧のオン／オフの交互切り替えに応じて切替条件が成立するときは前記切替動作を行うコントローラと、
遅延用の容量素子を含み、前記電源入力端子に印加される前記電源電圧が前記起動閾値電圧に達するタイミングを前記ＰＷＭ信号端子に前記調光用ＰＷＭ信号が入力されるタイミングに対して遅延させる遅延回路と
を備え、
前記遅延用の容量素子の正極端子が前記コントローラにおける前記放電用端子に接続されていることを特徴とする照明用電源装置。
【請求項２】
前記入力電圧検出信号の電圧レベルが前記入力停止判定閾値電圧以下になったタイミングから所定の待機時間経過後に、前記電源入力端子が切替条件成立判定閾値電圧以下になることを条件に前記切替条件が成立する請求項１記載の照明用電源装置。
【請求項３】
前記コントローラは、前記入力電圧検出信号の電圧レベルが前記入力停止判定閾値電圧以下になった後、前記電源入力端子が切替条件成立判定閾値電圧以下になる前に前記入力電圧がオンされ、前記電源入力端子が前記切替条件成立判定閾値電圧に達しない状態が維持されると、ラッチモードに移行する請求項１または２記載の照明用電源装置。
【請求項４】
前記複数の発光素子として第１の発光素子と第２の発光素子とが前記素子接続端子に接続される請求項３記載の照明用電源装置であって、
前記電源入力端子には、前記入力電圧をもとに電圧レギュレートされた直流電圧が前記駆動用の電源電圧として入力され、
前記遅延回路は、前記電圧レギュレートされた直流電圧の出力端子と前記コントローラの電源入力端子との間に介装され、
前記コントローラは、
前記入力電圧がオンされ、前記制御部から前記入力電圧検出信号と前記調光用ＰＷＭ信号を入力し、前記遅延用の容量素子の両端電圧が上昇して前記遅延回路による遅延時間の経過後に所定の降伏閾値電圧に達し当該遅延回路が動作すると、前記電圧レギュレートされた直流電圧が前記遅延回路を介して前記電源入力端子に印加され、前記電源入力端子電圧が上昇して前記起動閾値電圧に達したときに活性化されて前記第１の発光素子を点灯する制御を行い、
前記入力電圧がオフされ、前記入力電圧検出信号の電圧レベルが降下して前記入力停止判定閾値電圧以下になったときには前記第１の発光素子を消灯するとともに前記放電用端子を前記グランド端子に短絡して前記遅延用の容量素子を急速放電させることで、前記ラッチモードへの移行を阻止し、
前記入力電圧が再度オンされると、前記制御部から前記入力電圧検出信号と前記調光用ＰＷＭ信号を入力し、前記遅延用の容量素子の両端電圧が上昇して前記所定の降伏閾値電圧に達したときに活性化されて前記第２の発光素子を点灯する制御を行う照明用電源装置。
【発明の詳細な説明】
【技術分野】
【０００１】
本発明は、複数の発光素子を備えた照明装置に対して電源を供給するものであって、調光の機能と発光素子の切替の機能とを兼ね備えた照明用電源装置に関する。
【背景技術】
【０００２】
図９は先行技術にかかわる照明用電源装置の回路図である。交流電源１、入力フィルタ回路２、ブリーダ回路３、ＡＣ−ＤＣコンバータ４、２次側整流平滑回路５、第１のＬＥＤ（発光素子）６および第２のＬＥＤ（発光素子）７がこの記載順に接続されている。また、ブリーダ回路３、第１のレギュレータ回路８、遅延回路１１、コントローラ１２がこの記載順に接続され、第１のレギュレータ回路８、第２のレギュレータ回路９、制御用マイコン１０がこの記載順に接続されている。制御用マイコン１０はブリーダ回路３とも接続されている。第１のレギュレータ回路８は第１のツェナーダイオードＺＤ１やＮＭＯＳ型のトランジスタＱ１を備えている。遅延回路１１は第２のツェナーダイオードＺＤ２、ＰＮＰ型のトランジスタＱ２、ＮＰＮ型のトランジスタＱ３のほか遅延用のコンデンサ（容量素子）Ｃ１を備えている。
【０００３】
次に、上記構成の先行技術の照明用電源装置の発光素子切替機能について図１０のタイミングチャートを用いて説明する。
【０００４】
タイミングｔ00において交流電源１による入力電圧ＡＣinをオン（印加）すると、入力フィルタ回路２、ＡＣ−ＤＣコンバータ４を介して脈流の直流電圧が生成され、２次側整流平滑回路５によって整流平滑された一定の直流電圧が第１のＬＥＤ６および第２のＬＥＤ７の陽極端子に印加される。また、入力電圧ＡＣinのオンに伴って起動された制御用マイコン１０は、入力電圧検出信号ＣＬＫを"Ｈ"レベルにしてコントローラ１２のＣＬＫ端子に印加するとともに、調光用ＰＷＭ信号ＤＰをＤＰ端子に印加する。同時に、第１のレギュレータ回路８で安定化された直流電圧が遅延回路１１に供給される。
【０００５】
タイミングｔ01において遅延用のコンデンサＣ１の両端電圧ＶC1が一定の時定数のもとで滑らかに上昇して第２のツェナーダイオードＺＤ２のツェナー電圧ＶZD2に達し、第２のツェナーダイオードＺＤ２が降伏するため、ＮＰＮ型のトランジスタＱ３がターンオンし、次いでＰＮＰ型のトランジスタＱ２がターンオンし、コントローラ１２の電源入力端子電圧ＶＤＤが上昇を開始する。電源入力端子電圧ＶＤＤが起動閾値電圧ＶＤＤONに達したタイミングｔ02において、コントローラ１２の調光・発光素子切替機能が活性化され、Ｄ１端子が"Ｈ"レベルから"Ｌ"レベルに切り替えられるため、第１のＬＥＤ６が点灯する。コントローラ１２が動作を開始する条件は、入力電圧検出信号ＣＬＫが"Ｈ"レベルかつ電源入力端子電圧ＶＤＤが起動閾値電圧ＶＤＤON以上となっていることである。
【０００６】
タイミングｔ03において入力電圧ＡＣinがオフ（切断）され、調光用ＰＷＭ信号ＤＰが停止されるとともに、入力電圧検出信号ＣＬＫと遅延用のコンデンサＣ１の両端電圧ＶC1が降下を開始する。降下する入力電圧検出信号ＣＬＫがタイミングｔCLKL（＝ｔ04）で入力停止判定閾値電圧ＣＬＫOFFに達すると、コントローラ１２は調光・発光素子切替機能を停止させ、第１のＬＥＤ６が消灯する。連動して電源入力端子電圧ＶＤＤが一定速度で降下し、入力電圧ＡＣinのオフの期間において臨界タイミングｔVDDOFF（＝ｔ06）で発光素子切替条件成立判定閾値電圧ＶＤＤOFFに達する。その後、電源入力端子電圧ＶＤＤは降下速度を緩めてさらに降下し続ける。
【０００７】
電源入力端子電圧ＶＤＤがリセット閾値電圧ＶＤＤRSTに達するまでの間にタイミングｔ07で入力電圧ＡＣinが再度オンされる。このときまでに遅延用のコンデンサＣ１の両端電圧ＶC1は一定の時定数のもとで滑らかにゼロレベルまで降下している。入力電圧ＡＣinが再度オンされると、遅延用のコンデンサＣ１の両端電圧ＶC1が一定の時定数のもとで滑らかに上昇を開始する。また、入力電圧検出信号ＣＬＫと調光用ＰＷＭ信号ＤＰが再びコントローラ１２に入力される。タイミングｔ08において遅延用のコンデンサＣ１の両端電圧ＶC1がツェナー電圧（降伏閾値電圧）ＶZD2に達し、電源入力端子電圧ＶＤＤが上昇してタイミングｔ09で起動閾値電圧ＶＤＤONに達すると、コントローラ１２は今度はＤ２端子を"Ｈ"レベルから"Ｌ"レベルに切り替え、第２のＬＥＤ７を点灯する。
【０００８】
入力電圧ＡＣinのオンの回数が奇数回数目のときは第１のＬＥＤ６が点灯し、偶数回数目のときは第２のＬＥＤ７が点灯するというように、第１のＬＥＤ６と第２のＬＥＤ７とは入力電圧ＡＣinのオンの度に交互に切り替えられて点灯する。すなわち、発光素子が切り替えられる。
【０００９】
このような発光素子切替条件を成立させるための要件は、
〈１〉入力電圧検出信号ＣＬＫが"Ｌ"レベルになったタイミングｔCLKL（＝ｔ04）から微小な所定の待機時間Ｔc（例えば１９ｍｓ）が経過するタイミングを待機時間経過タイミングｔwait（＝ｔ05）として、降下する電源入力端子電圧ＶＤＤが発光素子切替条件成立判定閾値電圧ＶＤＤOFFに達する臨界タイミングｔVDDOFF（＝ｔ06）が待機時間経過タイミングｔwaitより後であること。ちなみに、電源入力端子電圧ＶＤＤの降下速度が異常に速くてこれらの先後関係が逆であると、発光素子切替条件は不成立となり、今回サイクルの入力電圧ＡＣinのオンに対して前回サイクルで点灯したのと同じＬＥＤが再度点灯する。
【００１０】
〈２〉入力電圧検出信号ＣＬＫが入力停止判定閾値電圧ＣＬＫOFFを下回って"Ｌ"レベルとなり、これに連動して電源入力端子電圧ＶＤＤが降下する状態において、電源入力端子電圧ＶＤＤが発光素子切替条件成立判定閾値電圧ＶＤＤOFFに達する臨界タイミングｔVDDOFF（＝ｔ06）までは入力電圧検出信号ＣＬＫが"Ｌ"レベルを保っていること。換言すれば、入力電圧検出信号ＣＬＫが"Ｈ"レベルとなるのが臨界タイミングｔVDDOFF（＝ｔ06）を過ぎた後であること。
【００１１】
図１０の場合、電源入力端子電圧ＶＤＤが発光素子切替条件成立判定閾値電圧ＶＤＤOFFに達したタイミングｔ06は、入力電圧ＡＣinが再度オンされたタイミングｔ07よりも先行している。また、入力電圧ＡＣinが再度オンされたタイミングｔ07は、電源入力端子電圧ＶＤＤがリセット閾値電圧ＶＤＤRSTにまで降下していないタイミングである。このような条件下では、発光素子切替条件が成立する。
【００１２】
発光素子切替条件成立判定閾値電圧ＶＤＤOFFに達したタイミングｔ06以降において電源入力端子電圧ＶＤＤがリセット閾値電圧ＶＤＤRSTに達するまでの期間において入力電圧ＡＣinが再度オンされると、上記の動作が繰り返される。そして、上記したように発光素子切替条件が成立しているため、今度のサイクルでは、コントローラ１２は前回のサイクルの場合のＤ１端子に代えてＤ２端子を"Ｈ"レベルから"Ｌ"レベルに切り替える。その結果、第２のＬＥＤ７に電流が流れて、第２のＬＥＤ７が点灯する。すなわち、発光素子の切り替えが実現される。
【発明の概要】
【発明が解決しようとする課題】
【００１３】
上記のように構成された先行技術には次のような問題がある。それは、入力電圧ＡＣinの瞬断が発生したときにコントローラ１２がラッチモードに陥ってしまうという問題である。
【００１４】
図１１に示すように、タイミングｔ03から始まる入力電圧ＡＣinのオフ期間が非常に短い瞬断の場合、電源入力端子電圧ＶＤＤが充分に下がらず発光素子切替条件成立判定閾値電圧ＶＤＤOFFに達するまでにタイミングｔ055で入力電圧ＡＣinが再度オンされている。入力電圧ＡＣinがオンされると、遅延用のコンデンサＣ１の両端電圧ＶC1が上昇を再開するが、入力電圧ＡＣinの再度オンのタイミングが早すぎるので（入力電圧ＡＣinのオフ期間として約３０〜８０ｍｓが想定される（一例））、それまでに両端電圧ＶC1は降下量が少なく、比較的高い電圧レベルを保持している。両端電圧Ｖc1がツェナー電圧ＶZD2を超えるタイミングｔ056より電源入力端子電圧ＶＤＤが上昇を再開する。この上昇再開のタイミングｔ056が早いために、降下中の電源入力端子電圧ＶＤＤは発光素子切替条件成立判定閾値電圧ＶＤＤOFFに達することなく（図１１中の斜め右下に延びる破線参照）、再上昇を開始してしまう。この場合に、コントローラ１２はラッチモードに入ることとなる。ラッチモードに陥ってしまったコントローラ１２は正常な動作が行われず、入力電圧ＡＣinのオンを行っても、第２のＬＥＤ７は点灯することなく消灯状態を維持する。このラッチモードは、次に入力電圧ＡＣinがオフされて電源入力端子電圧ＶＤＤが発光素子切替条件成立判定閾値電圧ＶＤＤOFF以下に達するまで維持される。
【００１５】
コントローラ１２がラッチモードに陥る原因は、次の点にある。すなわち、コントローラ１２を調光モードかつ発光素子切替モードに設定するためには、
（1）  ＤＰ端子に調光用ＰＷＭ信号ＤＰを印加
（2）  ＶＤＤ端子に印加される電源入力端子電圧ＶＤＤが上昇して起動閾値電圧ＶＤＤONに達する
…の順番を守らなければならないという制約があり、この制約のために遅延用のコンデンサＣ１を含む遅延回路１１を設けている。ところが、遅延回路１１を設けると、遅延用のコンデンサＣ１の静電容量による一定の時定数τd（＝Ｒ３・Ｃ１）のために、遅延用のコンデンサＣ１の両端電圧ＶC1ひいてはＶＤＤ端子に印加される電源入力端子電圧ＶＤＤの降下速度が遅くなる。このことが瞬断発生時のラッチモードの原因となる。ラッチモードに陥ると、発光素子切替条件が成立しておらず、発光素子切替制御に不具合を来たすことになる。すなわち、コントローラ１２における電源のラッチ停止（消灯状態ロック）に陥ってしまう。
【００１６】
本発明はこのような事情に鑑みて創作したものであり、調光・切替機能を有する照明用電源装置に関して、入力電圧のオフが瞬断によるものであっても、比較的簡単な構成により、瞬断発生時のコントローラの電源のラッチ停止（消灯状態ロック）を回避できるようにすることを目的としている。
【課題を解決するための手段】
【００１７】
本発明は、次の手段を講じることにより上記の課題を解決する。
【００１８】
本発明による照明用電源装置は、入力電圧に基づいて、複数の発光素子の点灯／消灯を切り替えることで切替動作と、各発光素子の調光動作とを行う照明用電源装置であって、入力電圧のオンを検出したときに入力電圧検出信号と調光用ＰＷＭ信号を生成出力し、入力電圧のオフを検出したときに入力電圧検出信号と調光用ＰＷＭ信号の生成出力を停止する制御部と、調光用ＰＷＭ信号が入力されるＰＷＭ信号端子と、入力電圧検出信号が入力される電圧検出端子と、駆動用の電源電圧が印加される電源入力端子と、複数の発光素子がそれぞれ接続される複数の素子接続端子と、グランド端子と、入力電圧検出信号の電圧レベルが入力停止判定閾値電圧を超えているときはオープンとなる一方、入力停止判定閾値電圧以下になったときはグランド端子に短絡される放電用端子とを有し、ＰＷＭ信号端子に調光用ＰＷＭ信号が入力された後に電源入力端子に印加される電源電圧が所定の起動閾値電圧に達すると調光動作を行うとともに、入力電圧のオン／オフの交互切り替えに応じて切替条件が成立するときは切替動作を行うコントローラと、遅延用の容量素子を含み、電源入力端子に印加される電源電圧が起動閾値電圧に達するタイミングをＰＷＭ信号端子に調光用ＰＷＭ信号が入力されるタイミングに対して遅延させる遅延回路とを備え、遅延用の容量素子の正極端子がコントローラにおける放電用端子に接続されていることを特徴とする。
【００１９】
この構成によれば、制御部は、入力電圧（ＡＣin）がオンされると入力電圧検出信号（ＣＬＫ）と調光用ＰＷＭ信号（ＤＰ）をコントローラに出力し、入力電圧がオフされると入力電圧検出信号と調光用ＰＷＭ信号の出力を停止する。コントローラは、入力電圧検出信号の停止があったときは放電用端子（ＢＬＤＲ）をグランド端子に短絡して遅延用の容量素子を急速放電させ、その両端電圧（ＶC1）を直ちにゼロレベルへ回帰させる。入力電圧のオフが瞬断によるもので、前サイクルでの入力電圧のオフ期間が非常に短いものであったとしても、遅延用の容量素子の両端電圧の再上昇はゼロレベルから開始されるため、確実に切替条件を成立させることができる。
【００２０】
ここで、入力電圧検出信号の電圧レベルが入力停止判定閾値電圧以下になったタイミングから所定の待機時間経過後に、電源入力端子が切替条件成立判定閾値電圧（ＶＤＤOFF）以下になることを条件に切替条件が成立する場合には、降下中の電源入力端子電圧（ＶＤＤ）を確実に切替条件成立判定閾値電圧（ＶＤＤOFF）にまで到達させることが可能となる。入力電圧が再度オンされると、遅延用の容量素子の両端電圧がゼロレベルから再上昇し、電源入力端子電圧が起動閾値電圧（ＶＤＤON）に達してコントローラの調光・切替機能が再び活性化される。電源入力端子電圧が起動閾値電圧を上回ると、コントローラは発光素子の点灯動作処理へと進むが、前述のように降下中の電源入力端子電圧（ＶＤＤ）が切替条件成立判定閾値電圧（ＶＤＤOFF）まで到達して切替条件が成立しているので、点灯対象の発光素子は前回点灯の発光素子から別のもう１つの発光素子へと切り替えられることになる。そして、このことは、入力電圧の再度のオンタイミングが通常のタイミングである場合であるか、瞬断の場合の早すぎるタイミングであるかに関係なく成立する。
【００２１】
このため、コントローラが、入力電圧検出信号の電圧レベルが入力停止判定閾値電圧以下になった後、電源入力端子が切替条件成立判定閾値電圧以下になる前に入力電圧がオンされ、電源入力端子が切替条件成立判定閾値電圧に達しない状態が維持されると、ラッチモードに移行する場合であっても、遅延用の容量素子を急速放電させ、入力電圧が瞬断しても電源がラッチ停止（消灯状態ロック）するのを回避することができる。
【発明の効果】
【００２２】
本発明によれば、調光・切替機能を有する照明用電源装置につき、入力電圧のオフが瞬断によるものであっても、コントローラの電源のラッチ停止（消灯状態ロック）を回避することができる。しかも、そのための構成は放電用端子を遅延用の容量素子の正極端子に接続するだけの極めて簡単なものですみ、スペース的にもコスト的にも有利な展開が図られる。
【図面の簡単な説明】
【００２３】
【図１】本発明の実施例の照明用電源装置の構成を示す回路図
【図２】本発明の実施例の照明用電源装置の動作を示すタイミングチャート
【図３】本発明の実施例の照明用電源装置の動作を示すタイミングチャート
【図４】本発明の実施例の照明用電源装置の動作を示すタイミングチャート
【図５】本発明の実施例の照明用電源装置の動作を示すタイミングチャート
【図６】本発明の実施例の照明用電源装置の動作を示すフローチャート
【図７】本発明の実施例の照明用電源装置の動作を示すフローチャート
【図８】本発明の実施例の照明用電源装置の動作を示すフローチャート
【図９】先行技術の照明用電源装置の構成を示す回路図
【図１０】先行技術の照明用電源装置の動作を示すタイミングチャート
【図１１】先行技術の照明用電源装置の動作を示すタイミングチャート
【発明を実施するための形態】
【００２４】
以下、上記構成の本発明の照明用電源装置につき、その実施の形態を具体的な実施例のレベルで詳しく説明する。
【００２５】
図１は本発明の実施例における照明用電源装置の構成を示す回路図である。図１において、１は交流電源、２は入力フィルタ回路、３はブリーダ回路（放電回路）、４はＡＣ−ＤＣコンバータ、５は２次側整流平滑回路、６は第１のＬＥＤ（発光素子）、７は第２のＬＥＤ（発光素子）、８は第１のレギュレータ回路、９は第２のレギュレータ回路、１０は前記制御部に対応した制御用マイコン（マイクロコンピュータ（制御部））、１１は遅延回路、１２はコントローラ（メインコントロールＩＣ）である。入力フィルタ回路２はトライアック調光器を内蔵している。ブリーダ回路３は、無負荷時に出力電圧が上がりすぎないように電流を常時流すことにより、トライアック調光の誤動作を防止する機能を有する。ＡＣ−ＤＣコンバータ４は交流電圧を脈流の直流電圧に変換する機能を有する。２次側整流平滑回路５は脈流の直流電圧を整流平滑化して一定レベルの直流電圧を生成する機能を有する。第１のレギュレータ回路８は交流電圧の正の半波の期間に安定化した直流電圧を生成し、遅延回路１１を介してコントローラ１２に電源電圧を供給する機能を有する。第２のレギュレータ回路９は第１のレギュレータ回路８からの直流電圧を降圧して制御用マイコン１０に電源電圧を供給する機能を有する。ブリーダ回路３は入力電圧ＡＣinの位相変化を制御用マイコン１０に入力する機能を有する。第１のＬＥＤ６と第２のＬＥＤ７とは互いに光色（発光色）を異にしている。交流電源１が入力フィルタ回路２を介してＡＣ−ＤＣコンバータ４の入力側に接続されている。入力フィルタ回路２とＡＣ−ＤＣコンバータ４を結ぶ電源ラインＬ１と接地ラインＬ２との間にブリーダ回路３が接続されている。ＡＣ−ＤＣコンバータ４の出力側が２次側整流平滑回路５を介して第１のＬＥＤ６および第２のＬＥＤ７の陽極端子に接続されている。第１のＬＥＤ６の陰極端子はコントローラ１２のＤ１端子に接続され、第２のＬＥＤ７の陰極端子はＤ２端子に接続されている。
【００２６】
第１のレギュレータ回路８の構成要件として、Ｑ１はＮＭＯＳ型の電界効果トランジスタ（ＦＥＴ）、Ｒ１は抵抗素子、ＺＤ１は第１のツェナーダイオードである。遅延回路１１の構成要件として、Ｑ２はＰＮＰ型のトランジスタ、Ｑ３はＮＰＮ型のトランジスタ、ＺＤ２は第２のツェナーダイオード、Ｒ２，Ｒ３，Ｒ４は抵抗素子、Ｃ１は遅延用のコンデンサ（容量素子）である。遅延回路１１からコントローラ１２への給電ラインの構成要素として、Ｒ５，Ｒ６は抵抗素子、Ｄ１は逆流防止用のダイオードである。
【００２７】
第１のレギュレータ回路８におけるＮＭＯＳ型のトランジスタＱ１は、そのドレインが電源ラインＬ１に接続され、そのソースが遅延回路１１におけるＰＮＰ型のトランジスタＱ２のエミッタおよび第２のレギュレータ回路９の電源端子に接続されている。第１のレギュレータ回路８における抵抗素子Ｒ１と第１のツェナーダイオードＺＤ１の直列回路が電源ラインＬ１とグランドとの間に接続され、抵抗素子Ｒ１と第１のツェナーダイオードＺＤ１との接続ノードＮ１がＮＭＯＳ型のトランジスタＱ１のゲートに接続されている。電源ラインＬ１に現れる交流電圧が第１のツェナーダイオードＺＤ１のツェナー電圧（降伏閾値電圧）ＶZD1以上になると、第１のツェナーダイオードＺＤ１が降伏して抵抗素子Ｒ１および第１のツェナーダイオードＺＤ１に電流が流れ、接続ノードＮ１の電圧がツェナー電圧ＶZD1に保持され、それがＮＭＯＳトランジスタＱ１のゲートに印加されて、このトランジスタＱ１が導通する。ツェナーダイオードＺＤ１のツェナー電圧ＶZD1によって規定され安定化された直流電圧がＮＭＯＳ型のトランジスタＱ１を介して遅延回路１１に供給され、さらに遅延回路１１を介してコントローラ１２のＶＤＤ端子に給電される。
【００２８】
第２のレギュレータ回路９の出力端子が制御用マイコン１０の電源端子に接続されている。ブリーダ回路３の出力端子は制御用マイコン１０の入力端子に接続されている。制御用マイコン１０は、その入力電圧検出信号ＣＬＫの出力端子がコントローラ１２のＣＬＫ端子に接続され、その調光用ＰＷＭ信号ＤＰの出力端子がコントローラ１２のＤＰ端子に接続されている。第１のレギュレータ回路８におけるＮＭＯＳ型のトランジスタＱ１のソースと第２のレギュレータ回路９の電源端子との接続ノードＮ２が遅延回路１１におけるＰＮＰ型のトランジスタＱ２のエミッタに接続されている。
【００２９】
遅延回路１１におけるＰＮＰ型のトランジスタＱ２は、そのベース・エミッタ間に抵抗素子Ｒ２が接続され、そのベースにＮＰＮ型のトランジスタＱ３のコレクタが接続されている。ＮＰＮ型のトランジスタＱ３のエミッタは接地され、そのベースとＰＮＰ型のトランジスタＱ２のエミッタとの間に抵抗素子Ｒ３、第２のツェナーダイオードＺＤ２および抵抗素子Ｒ４の直列回路が接続されている。第２のツェナーダイオードＺＤ２は、そのアノードが抵抗素子Ｒ４に接続され、そのカソードが抵抗素子Ｒ３に接続されている。そして、抵抗素子Ｒ３と第２のツェナーダイオードＺＤ２のカソードとの接続ノードＮ３とグランドとの間に遅延用のコンデンサＣ１が接続されている。遅延回路１１におけるＰＮＰ型のトランジスタＱ２のコレクタが抵抗素子Ｒ５，Ｒ６および逆流防止用のダイオードＤ１を介してコントローラ１２のＶＤＤ端子に接続されている。
【００３０】
次に、コントローラ１２における各端子について説明する。
【００３１】
ＣＬＫ端子は、制御用マイコン１０からの入力電圧検出信号ＣＬＫの"Ｈ"／"Ｌ"に応じて交流電源１による入力電圧ＡＣinの入（オン）／切（オフ）をモニタする機能を有する。
【００３２】
ＤＰ端子は、制御用マイコン１０から印加される調光用ＰＷＭ信号ＤＰのデューティ比に応じてＬＥＤ６，７に対する出力電流の大きさをコントロールする機能（調光機能）を有する。
【００３３】
Ｄ１端子は、これに第１のＬＥＤ６の陰極端子が接続され、"Ｈ"から"Ｌ"に切り替わることで第１のＬＥＤ６を点灯させる機能を有する。Ｄ２端子は、これに第２のＬＥＤ７の陰極端子が接続され、"Ｈ"から"Ｌ"に切り替わることで第２のＬＥＤ７を点灯させる機能を有する。Ｄ１端子を"Ｌ"にする状態とＤ２端子を"Ｌ"にする状態との切り替えにより発光素子の切替が可能となっている。
【００３４】
ＶＤＤ端子に印加される電源入力端子電圧ＶＤＤが起動閾値電圧ＶＤＤON以上になるとコントローラ１２は活性化され、調光・発光素子切替の制御動作が可能となる。電源入力端子電圧ＶＤＤが降下して発光素子切替条件成立判定閾値電圧ＶＤＤOFF以下になることは、光色切替条件が成立するための前提となる。電源入力端子電圧ＶＤＤが発光素子切替条件成立判定閾値電圧ＶＤＤOFFまで降下することのない状態で入力電圧ＡＣinが再度オンされたとしても、発光素子切替条件は成立しない。
【００３５】
なお、コントローラ１２は、その一例としてＯ２Ｍｉｃｒｏ（オーツーマイクロ）社製のＬＥＤ照明用コントロールＩＣ（ＯＺ２０８９）を用いている。
【００３６】
本発明実施例においては、遅延回路１１における抵抗素子Ｒ３、遅延用のコンデンサＣ１および第２のツェナーダイオードＺＤ２の接続ノードＮ３がコントローラ１２における急速放電にかかわるＢＬＤＲ端子（放電用端子）に接続されている。このＢＬＤＲ端子（放電用端子）は、入力電圧検出信号ＣＬＫの電圧が入力停止判定閾値電圧ＣＬＫOFFを超えているときはオープンであり、入力停止判定閾値電圧ＣＬＫOFF以下になった状態（ＣＬＫ端子がＬｏｗ）でかつ電源入力端子電圧ＶＤＤが発光素子切替条件成立判定閾値電圧ＶＤＤOFF以下になる以前のタイミングでグランド端子に短絡される端子である。
【００３７】
次に、上記のように構成された本発明実施例の照明用電源装置の動作を説明する。
【００３８】
遅延回路１１において、初期状態にあっては、ＰＮＰ型のトランジスタＱ２もＮＰＮ型のトランジスタＱ３もオフ状態にある。この初期状態において交流電源１からの入力電圧ＡＣinがオンされると、ＮＰＮ型のトランジスタＱ３がオフ状態であるので、第１のレギュレータ回路８から印加された電圧がバイアス用の抵抗素子Ｒ２を介してＰＮＰ型のトランジスタＱ２のベースに印加されるため、ＰＮＰ型のトランジスタＱ２はオフ状態を保つ。一方、第１のレギュレータ回路８から印加された電圧による電流が抵抗素子Ｒ３を介して遅延用のコンデンサＣ１に流入し、その両端電圧ＶC1を一定の時定数のもとに上昇させる。その上昇の特性曲線は、時間軸（横軸）と電圧軸（縦軸）の原点を通り、時定数τd＝Ｒ３・Ｃ１のもとで滑らかに増加してＶinに漸近するものとなる。ここでＶinは第１のレギュレータ回路８で生成された一定の電圧であって遅延回路１１の入力端子（接続ノードＮ２）に印加される電圧、ｅは自然対数の底のネイピア数（ｅ＝2.718281828…）である（E(t)=E(1-e^(-t/RC))。
【００３９】
遅延用のコンデンサＣ１の両端電圧ＶC1が上昇してツェナーダイオードＺＤ２のツェナー電圧（降伏閾値電圧）ＶZD2にまで達すると、ツェナーダイオードＺＤ２が降伏し、抵抗素子Ｒ４を介してＮＰＮ型のトランジスタＱ３にベース電流が供給され、このトランジスタＱ３がターンオンする。このターンオンによりＰＮＰ型のトランジスタＱ２のベースがターンオンしたトランジスタＱ３を介して接地されるため、トランジスタＱ２のベース・エミッタ間に電位差が生じ、このトランジスタＱ２もターンオンする。その結果、第１のレギュレータ回路８からの直流電圧ＶinがターンオンしたＰＮＰ型のトランジスタＱ２、抵抗素子Ｒ５，Ｒ６および逆流防止用のダイオードＤ１を介して、コントローラ１２の電源入力ＶＤＤ端子に供給されることとなる。これにより、コントローラ１２が起動され、活性化される。
【００４０】
次に、図２のタイミングチャートを用いて発光素子切替機能について説明する。
【００４１】
タイミングｔ0において交流電源１による入力電圧ＡＣinがオンされると、入力フィルタ回路２、ＡＣ−ＤＣコンバータ４を介して直流電圧（脈流）が生成され、２次側整流平滑回路５によって整流平滑された一定の直流電圧が第１のＬＥＤ６および第２のＬＥＤ７の陽極端子に印加される。このとき、入力フィルタ回路２は商用電源などから侵入してくるノイズを除去する。ブリーダ回路３は出力電圧が無負荷時に上がりすぎないように常時電流を流す制御を行って、入力フィルタ回路２におけるトライアック調光器の誤動作を防止する。一方、入力電圧ＡＣinのオンに伴って、第１のレギュレータ回路８および第２のレギュレータ回路９を介して制御用マイコン１０に直流電源が供給され、制御用マイコン１０が直ちに起動する。起動した制御用マイコン１０は、入力電圧検出信号ＣＬＫを"Ｈ"レベルにしてコントローラ１２のＣＬＫ端子に印加するとともに、調光用ＰＷＭ信号ＤＰをＤＰ端子に印加する。
【００４２】
タイミングｔ1において、コントローラ１２における電源入力端子電圧ＶＤＤが上昇を開始する。このとき、第１のレギュレータ回路８において、電源ラインＬ１に現れる交流電圧が第１のツェナーダイオードＺＤ１のツェナー電圧ＶZD1以上になって第１のツェナーダイオードＺＤ１が降伏し、接続ノードＮ１の電圧がツェナー電圧ＶZD1に保持され、それがＮＭＯＳトランジスタＱ１のゲートに印加されて、このトランジスタＱ１が導通する。ゲート電圧が一定レベルに制御されたＮＭＯＳトランジスタＱ１は、一定電流を遅延回路１１に供給する。
【００４３】
タイミングｔ0から遅延回路１１で規定される遅延時間Ｔdが経過したタイミングｔ2において、上昇する電源入力端子電圧ＶＤＤが起動閾値電圧ＶＤＤONに達すると、コントローラ１２が活性化されて動作を開始する。これにより、コントローラ１２はＤ１端子を"Ｈ"レベルから"Ｌ"レベルに切り替えるため、第１のＬＥＤ６に電流が流れて、第１のＬＥＤ６が点灯する。電源入力端子電圧ＶＤＤは第１のレギュレータ回路８によって規定される一定電圧（Ｖin）に応じた規定のレベルに達し、安定的に推移する。コントローラ１２が動作を開始する条件は、ＣＬＫ端子に現れる入力電圧検出信号ＣＬＫが"Ｈ"レベルかつ電源入力端子電圧ＶＤＤが起動閾値電圧ＶＤＤON以上となっていることである。第１のＬＥＤ６の明るさは調光用ＰＷＭ信号ＤＰのデューティ比（時比率）によって制御される。
【００４４】
時間が経過して入力電圧ＡＣinがオフされると（タイミングｔ3）、制御用マイコン１０は入力電圧検出信号ＣＬＫおよび調光用ＰＷＭ信号ＤＰの出力を停止して"Ｌ"レベルに切り替える。高周波の調光用ＰＷＭ信号ＤＰは瞬間的にゼロレベルへと降下し、周波数の比較的低い入力電圧検出信号ＣＬＫと電源入力端子電圧ＶＤＤは一定の速度で降下する。コントローラ１２は、入力電圧検出信号ＣＬＫの電圧レベルが低下して入力停止判定閾値電圧ＣＬＫOFF以下の"Ｌ"レベルになったタイミングｔCLKL（＝ｔ4）で調光・発光素子切替機能を停止する。その結果、Ｄ１端子が"Ｌ"レベルから"Ｈ"レベルに復帰し、第１のＬＥＤ６は消灯するに至る。一方、入力電圧ＡＣinのオフに伴って、第１のレギュレータ回路８の出力電圧が消失するため、遅延回路１１における遅延用のコンデンサＣ１の両端電圧ＶC1が降下し始める。その電圧降下は初期のごく短時間の間は前述の時定数τd＝Ｒ３・Ｃ１のもとで行われる。
【００４５】
タイミングｔCLKL（＝ｔ4）において、コントローラ１２はＢＬＤＲ端子（放電用端子）をグランド端子ＧＮＤに接続する。ＢＬＤＲ端子（放電用端子）は遅延回路１１における遅延用のコンデンサＣ１の正極端子に接続されているため、遅延用のコンデンサＣ１はきわめて高速に放電されて、その両端電圧ＶC1は一瞬のうちにゼロレベルへと降下する。このタイミングｔCLKL（＝ｔ4）では入力電圧検出信号ＣＬＫがオフとなるため、第１のＬＥＤ６は消灯する。
【００４６】
入力電圧検出信号ＣＬＫが"Ｌ"レベル（入力停止判定閾値電圧ＣＬＫOFF以下）となったタイミングｔCLKL（＝ｔ4）から微小な所定の時間Ｔc（例えば１９ｍｓ）が経過したタイミングを待機時間経過タイミングｔwait（＝ｔ5）とする。このタイミングｔwait（＝ｔ5）の直前のタイミングから電源入力端子電圧ＶＤＤは一定の速度で降下する。
【００４７】
ここで、この電源入力端子電圧ＶＤＤが発光素子切替条件成立判定閾値電圧ＶＤＤOFFに達する臨界タイミングｔVDDOFF（＝ｔ6）と入力電圧ＡＣinが再度オンされるタイミング（ｔ7）との先後関係が問題となる。
【００４８】
図２の場合は、電源入力端子電圧ＶＤＤが発光素子切替条件成立判定閾値電圧ＶＤＤOFFに達した臨界タイミングｔVDDOFF（＝ｔ6）は、入力電圧ＡＣinが再度オンされるタイミングｔ7よりも先行している。また、入力電圧ＡＣinが再度オンされたタイミングｔ7は、電源入力端子電圧ＶＤＤがリセット閾値電圧ＶＤＤRSTにまで降下していないタイミングである。つまり、ここでは、入力電圧ＡＣinの再度のオンがないままの状態で推移すると仮定した場合に、電源入力端子電圧ＶＤＤはやがてリセット閾値電圧ＶＤＤRSTにまで降下することになるが、そのリセットのタイミングに至るよりも前の段階で入力電圧ＡＣinが再度オンされる場合を考察している。電源入力端子電圧ＶＤＤは発光素子切替条件成立判定閾値電圧ＶＤＤOFFに達した臨界タイミングｔVDDOFF（＝ｔ6）以降において、その降下速度が臨界タイミングｔVDDOFF（＝ｔ6）以前の降下速度よりも小さくなっている。
【００４９】
ここで、次サイクルのための発光素子切替条件を再掲する。
【００５０】
〈１〉入力電圧検出信号ＣＬＫが"Ｌ"レベルになったタイミングｔCLKL（＝ｔ4）から微小な所定の待機時間Ｔc（例えば１９ｍｓ）が経過するタイミングを待機時間経過タイミングｔwaitとして、降下する電源入力端子電圧ＶＤＤが発光素子切替条件成立判定閾値電圧ＶＤＤOFFに達する臨界タイミングｔVDDOFFが待機時間経過タイミングｔwaitより後であること。
【００５１】
〈２〉入力電圧検出信号ＣＬＫが入力停止判定閾値電圧ＣＬＫOFFを下回って"Ｌ"レベルとなり、これに連動して電源入力端子電圧ＶＤＤが降下する状態において、電源入力端子電圧ＶＤＤが発光素子切替条件成立判定閾値電圧ＶＤＤOFFに達する臨界タイミングｔVDDOFF（＝ｔ6）までは入力電圧検出信号ＣＬＫが"Ｌ"レベルを保っていること。換言すれば、入力電圧検出信号ＣＬＫが"Ｈ"レベルとなるのが臨界タイミングｔVDDOFF（＝ｔ6）を過ぎた後であること。
【００５２】
なお、入力電圧ＡＣinがオフされたタイミングｔ3から電源入力端子電圧ＶＤＤが発光素子切替条件成立判定閾値電圧ＶＤＤOFFに達した臨界タイミングｔVDDOFF（＝ｔ6）までの経過時間が所定の待機時間Ｔo（例えば２秒）以内であることが求められる。
【００５３】
図２の場合、発光素子切替条件成立判定閾値電圧ＶＤＤOFFに達した臨界タイミングｔVDDOFF（＝ｔ6）以降において、電源入力端子電圧ＶＤＤがリセット閾値電圧ＶＤＤRSTに達するまでの期間で入力電圧ＡＣinが再度オンされている。このときすでに遅延用のコンデンサＣ１の両端電圧ＶC1は急速放電によってゼロレベルまで低下している。入力電圧ＡＣinの再度のオンにより上記した動作が最初から再開され、入力電圧検出信号ＣＬＫと調光用ＰＷＭ信号ＤＰが立ち上がるとともに、遅延用のコンデンサＣ１の両端電圧ＶC1が一定の時定数τd＝Ｒ３・Ｃ１のもとでゼロレベルから滑らかに上昇し、タイミングｔ8でツェナー電圧ＶZD2に達し第２のツェナーダイオードＺＤ２の降伏後、タイミングｔ9において電源入力端子電圧ＶＤＤが立ち上がる。電源入力端子電圧ＶＤＤが起動閾値電圧ＶＤＤONに達すると、コントローラ１２が活性化される。今度のサイクルでは上記したように発光素子切替条件が成立しているため、コントローラ１２は前回のサイクルの場合のＤ１端子に代えてＤ２端子を"Ｈ"レベルから"Ｌ"レベルに切り替える。その結果、第２のＬＥＤ７に電流が流れて、第２のＬＥＤ７が点灯する。すなわち、発光素子の切り替えが実現される。
【００５４】
上記の図２のタイミングチャートに基づいた動作説明は、正常状態でのものである。
【００５５】
次に、電源入力端子電圧ＶＤＤの降下速度が過剰となった場合の動作を図３のタイミングチャートを用いて説明する。
【００５６】
上記の正常状態の場合においては、電源入力端子電圧ＶＤＤが発光素子切替条件成立判定閾値電圧ＶＤＤOFFに達した臨界タイミングｔVDDOFF（＝ｔ6）は、タイミングｔCLKL（＝ｔ4）（電圧ＣＬＫがＣＬＫOFF以下となった）から微小な所定の時間Ｔc経過後の待機時間経過タイミングｔwait（＝ｔ5）よりも後のタイミングである（図２参照）。しかし、図３の場合はそれとは逆に、所定の時間Ｔc経過後の待機時間経過タイミングｔwait（＝ｔ5）よりも前のタイミングで電源入力端子電圧ＶＤＤが発光素子切替条件成立判定閾値電圧ＶＤＤOFFに達した場合であり、この場合には、次サイクルのための発光素子切替条件は成立しない。すなわち、発光素子切替条件が成立するのは、図２のように電源入力端子電圧ＶＤＤの降下速度がある程度低い場合であって、その降下速度が図３のように速すぎる場合には、上記した発光素子切替条件成立のための２要件〈１〉，〈２〉のうち〈１〉が成立していない。この場合、入力電圧ＡＣinの再度オンがあると、第２のＬＥＤ７ではなく、再び第１のＬＥＤ６が点灯することになる。すなわち、発光素子の切り替わりは起こらない。
【００５７】
次に、入力電圧ＡＣinのオフ期間が長く、入力電圧ＡＣinの再度のオンがリセットタイミングより遅れた場合の動作を図４のタイミングチャートを用いて説明する。
【００５８】
上記の正常状態の場合においては、入力電圧ＡＣinが再度オンされたタイミングｔ7は、電源入力端子電圧ＶＤＤがリセット閾値電圧ＶＤＤRSTにまで降下するタイミングよりも前のタイミングであるが、これとは逆に、電源入力端子電圧ＶＤＤがリセット閾値電圧ＶＤＤRSTにまで降下したリセットタイミングｔRST（＝ｔ10）よりも後のタイミングｔ11で入力電圧ＡＣinが再度オンされた場合には、発光素子切替条件の成立は起こるものの、入力電圧ＡＣinの再度オン以前に電源入力端子電圧ＶＤＤがリセット閾値電圧ＶＤＤRSTにまで降下してコントローラ１２がリセットされてしまうために、実際には発光素子の切替は起こらない。すなわち、発光素子の切替が起こるのは、入力電圧ＡＣinが再度オンされたタイミングがリセット閾値電圧ＶＤＤRSTに降下する以前である場合であって、入力電圧ＡＣinの再度のオンタイミングが遅すぎる場合には発光素子の切替は起こらない。この場合は、入力電圧ＡＣinの再度オンがリセット後であるために、第２のＬＥＤ７ではなく、第１のＬＥＤ６が点灯することになる。すなわち、光色の切り替わりは起こらない。
【００５９】
次に、入力電圧ＡＣinが瞬断を起こした場合の動作について図５のタイミングチャートを用いて説明する。これは、先行技術の場合の問題点を指摘した図１１との比較対照がなされるべきものである。
【００６０】
タイミングｔ3において入力電圧ＡＣinがオフされ、同時に調光用ＰＷＭ信号ＤＰがＯＦＦとなり、タイミングｔCLKL（＝ｔ4）において入力電圧検出信号ＣＬＫが入力停止判定閾値電圧ＣＬＫOFF以下になってＯＦＦになる。このタイミングｔCLKL（＝ｔ4）では、前述のとおりコントローラ１２はＢＬＤＲ端子（放電用端子）をグランド端子ＧＮＤに接続するため、このＢＬＤＲ端子（放電用端子）に接続されている遅延回路１１における遅延用のコンデンサＣ１はきわめて高速に放電されて、その両端電圧ＶC1は一瞬のうちにゼロレベルへと降下する。このタイミングでは入力電圧検出信号ＣＬＫがオフ（ＣＬＫ端子がＬｏｗ）となるため、第１のＬＥＤ６は消灯する。
【００６１】
この動作例の場合、入力電圧ＡＣinが再度オンとなるタイミングｔACON（＝ｔ55）は、降下する電源入力端子電圧ＶＤＤが発光素子切替条件成立判定閾値電圧ＶＤＤ
OFFに達する臨界タイミングｔVDDOFF（＝ｔ6）よりも先行している。入力電圧ＡＣinのオフ期間がきわめて短く、これは瞬断に相当している。先行技術の場合には、図１１に示したように、遅延用のコンデンサＣ１の放電が進んでおらず、上昇再開時の遅延用のコンデンサＣ１の両端電圧ＶC1のレベルが相当に高いものとなっていることから、降下中の電源入力端子電圧ＶＤＤが発光素子切替条件成立判定閾値電圧ＶＤＤOFFにまで至ることのないまま、電源入力端子電圧ＶＤＤが再上昇してしまうためにコントローラ１２がラッチ停止（消灯状態ロック）していた。これに対して、本発明実施例の場合には、上記のようにＢＬＤＲ端子（放電用端子）をグランド端子ＧＮＤに接続して遅延用のコンデンサＣ１をきわめて高速に放電してしまうため、遅延用のコンデンサＣ１の両端電圧ＶC1の再上昇がゼロレベルから開始されることになる。その結果として、遅延用のコンデンサＣ１の両端電圧ＶC1が第２のツェナーダイオードＺＤ２のツェナー電圧ＶZD2に達するまでの期間が長くとれ、そのタイミングまでに降下中の電源入力端子電圧ＶＤＤが停止閾値電圧ＶＤＤOFFに達することになる。
【００６２】
タイミングｔ61において電源入力端子電圧ＶＤＤが反転上昇し、タイミングｔ62で起動閾値電圧ＶＤＤONに達すると、発光素子切替条件が成立していることから、コントローラ１２はＤ２端子を"Ｈ"レベルから"Ｌ"レベルに切り替えるため、第２のＬＥＤ７が点灯する。
【００６３】
以上のように本発明実施例によれば、入力電圧ＡＣinのオフが瞬断によるものであっても、コントローラ１２の電源のラッチ停止（消灯状態ロック）を回避することができる。しかも、そのための構成は、ＢＬＤＲ端子（放電用端子）を遅延用のコンデンサＣ１の正極端子に接続するだけの極めて簡単なものですみ、スペース的にもコスト的にもきわめて有利である。
【００６４】
次に、別実施例としてソフトウェアで制御する場合の動作を図６、図７および図８に示すフローチャートを用いて説明する。このフローチャートは制御用マイコン１０とコントローラ１２との協働で実行される。
【００６５】
ステップＳ１において、発光素子切替条件成立フラグＦjを「０」にセットする。これは初回サイクルであることに対応している。
【００６６】
次いで、ステップＳ２において、入力電圧ＡＣinがオン（印加)されると、次のステップＳ３に進む。
【００６７】
ステップＳ３において、入力電圧検出信号ＣＬＫと調光用ＰＷＭ信号ＤＰを出力する。
【００６８】
次いで、ステップＳ４において、上昇中の電源入力端子電圧ＶＤＤが起動閾値電圧ＶＤＤONに達するのを待つ。このレベルに達すると、コントローラ１２の調光・発光素子切替機能が活性化される。
【００６９】
次いで、ステップＳ５において、発光素子切替条件成立フラグＦjが「１」になっているか否かを判断する。「１」であればステップＳ６に進み、「０」であればステップＳ７に進む。初回サイクルでは「０」となっているので、ステップＳ７に進む。
【００７０】
ステップＳ６では、前回がＬＥＤ１動作であれば（ステップＳ６でＹＥＳ）、ＬＥＤ２動作に切り替え（ステップＳ９）、前回がＬＥＤ２動作であれば（ステップＳ６でＮＯ）、ＬＥＤ１動作に切り替える（ステップＳ７）。ステップＳ９に次ぐステップＳ１０では、稼働ＬＥＤフラグＦLを「２」にセットする。これは、第２のＬＥＤ７が点灯したことを示す。
【００７１】
ステップＳ７において、コントローラ１２のＤ１端子を"Ｌ"レベルに切り替えて第１のＬＥＤ６を点灯させる。
【００７２】
次いで、ステップＳ８において、稼働ＬＥＤフラグＦLを「１」にセットする。これは、第１のＬＥＤ６が点灯したことを示す。
【００７３】
次いで、ステップＳ１１において、入力電圧ＡＣinがオフ（切断）されるとステップＳ１２に進む。
【００７４】
ステップＳ１２において、入力電圧検出信号ＣＬＫと調光用ＰＷＭ信号ＤＰの出力を停止する。
【００７５】
次いで、ステップＳ１３において、降下中の入力電圧検出信号ＣＬＫが入力停止判定閾値電圧ＣＬＫOFFに達するのを待つ。達したらステップＳ１４に進む。
【００７６】
ステップＳ１４において、コントローラ１２のＢＬＤＲ端子（放電用端子）をグランド端子ＧＮＤに接続する。
【００７７】
次いで、ステップＳ１５において、タイマーのカウントをスタートさせる。
【００７８】
次いで、ステップＳ１６において、タイマーカウントが微小な所定の待機時間Ｔc（例えば１９ｍｓ）に達するのを待つ。達したらステップＳ１７に進む。
【００７９】
ステップＳ１７において、降下中の電源入力端子電圧ＶＤＤが発光素子切替条件成立判定閾値電圧ＶＤＤOFFに達しているか否かを判断する。つまり、微小な所定の待機時間Ｔc（例えば１９ｍｓ）が経過する前に発光素子切替条件成立判定閾値電圧ＶＤＤOFFまで降下したかどうかを判断する。そのレベルまで降下していたときは、これは図３の状態に対応するもので、ステップＳ２３に進んで、発光素子切替条件成立フラグＦjを「０」にセットし、次サイクルでは第２のＬＥＤ７ではなく再度第１のＬＥＤ６を点灯させる準備とする。
【００８０】
ステップＳ１７の判断が否定的であるとき、すなわち、微小な所定の待機時間Ｔc（例えば１９ｍｓ）が経過するより前には電源入力端子電圧ＶＤＤが発光素子切替条件成立判定閾値電圧ＶＤＤOFFまで達していなかったときには、ステップＳ１８に進んで、入力電圧ＡＣinが再度オンされるのを待つ。オンが検出されればステップＳ１９に進む。
【００８１】
ステップＳ１９において、降下中の電源入力端子電圧ＶＤＤが発光素子切替条件成立判定閾値電圧ＶＤＤOFFまで降下しているか否かを判断する。つまり、入力電圧ＡＣinの再度オンのタイミングでそのレベルに達しているかを判断する。達していればステップＳ２０に進む。このルーチンは図２または図４の状態に対応している。
【００８２】
ステップＳ２０において、電源入力端子電圧ＶＤＤがリセット閾値電圧ＶＤＤRSTにまで達しているか否かを判断する。達していなければ、これは図２の状態に対応するが、この場合はステップＳ２１に進み、発光素子切替条件成立フラグＦjを「１」にセットし、次サイクルでは第１のＬＥＤ６に代えて第２のＬＥＤ７を点灯させる準備とする。一方、達していれば、これは図４の状態に対応するが、この場合はステップＳ２２に進み、発光素子切替条件成立フラグＦjを「０」にセットし、次サイクルでは第２のＬＥＤ７ではなく再度第１のＬＥＤ６を点灯させる準備とする。
【００８３】
ステップＳ１９の判断において、入力電圧ＡＣinの再度オンのタイミングで降下中の電源入力端子電圧ＶＤＤが発光素子切替条件成立判定閾値電圧ＶＤＤOFFまで降下していなければ、これは図５の状態に対応するが、この場合はステップＳ２１に進み、発光素子切替条件成立フラグＦjを「１」にセットし、次サイクルでは第１のＬＥＤ６に代えて第２のＬＥＤ７を点灯させる準備とする。
【００８４】
ステップＳ２１、ステップＳ２２、ステップＳ２３に続いてはステップＳ２にリターンする。そして、次のサイクルではステップＳ５、ステップＳ６の判断を経て、ステップＳ７→Ｓ８のルーチンかステップＳ９→Ｓ１０のルーチンをたどる。ステップＳ９では、コントローラ１２のＤ２端子を"Ｌ"レベルに切り替えて第２のＬＥＤ７を点灯させ、ステップＳ１０において、第２のＬＥＤ７が点灯したことを示すために稼働ＬＥＤフラグＦLを「２」にセットし、次いでステップＳ１１に進む。
【００８５】
図８におけるステップＳ１９からステップＳ２１へ抜けるルーチンが成立するのは、ＢＬＤＲ端子（放電用端子）をグランド端子ＧＮＤに切り替え接続するように構成したことによる。先行技術の場合はステップＳ１９の判断結果が否定的な場合にはコントローラ１２のラッチ停止（消灯状態ロック）の状態に陥ってしまっていたのに対して、本発明実施例ではそのような不都合な事態を回避することができている。
【００８６】
なお、上記実施形態では、第１のＬＥＤ６と第２のＬＥＤ７とは互いに光色（発光色）を異にしているが、第１のＬＥＤ６と第２のＬＥＤ７の発光方向が互いに異なるなど、光色が異なる場合に限定されない。また、発光素子の数は２つに限らず、３つ以上であってもよい。
【産業上の利用可能性】
【００８７】
本発明は、調光・切替機能を有する照明用電源装置に関して、入力電圧が瞬断された場合であっても、コントローラの電源がラッチ停止（消灯状態ロック）してしまうことを回避する技術として有用である。
【符号の説明】
【００８８】
６  第１のＬＥＤ（発光素子）
７  第２のＬＥＤ（発光素子）
１０  制御用マイコン（制御部）
１１  遅延回路
１２  コントローラ
ＡＣin  入力電圧
ＢＬＤＲ  放電用端子
Ｃ１  遅延用のコンデンサ（容量素子）
ＣＬＫOFF  入力停止判定閾値電圧
ＣＬＫ  入力電圧検出信号
ＤＰ  調光用ＰＷＭ信号
ＶC1  遅延用のコンデンサの両端電圧
ＶZD2  ツェナー電圧（降伏閾値電圧）
ＶＤＤ  電源入力端子電圧
ＶＤＤON  起動閾値電圧
ＶＤＤOFF  発光素子切替条件成立判定閾値電圧
【図１】
0006534884.tif 000002
【図２】
0006534884.tif 000003
【図３】
0006534884.tif 000004
【図４】
0006534884.tif 000005
【図５】
0006534884.tif 000006
【図６】
0006534884.tif 000007
【図７】
0006534884.tif 000008
【図８】
0006534884.tif 000009
【図９】
0006534884.tif 000010
【図１０】
0006534884.tif 000011
【図１１】
0006534884.tif 000012